(57)【要約】【課題】被支承物を片当たりを生じることなく適正に滑り支承することができる滑り支承具を提供する。【解決手段】基盤２に下端部を固着され且つ基盤２上に打設されるコンクリート層３に埋没される支持具４と、支持具４の上端部に取り付けられて当該コンクリート層３の上面に固定される円板である支承板５と、支承板５の上面に固着されて被支承物６と接触するポリテトラフルオロエチレンを主成分とする低摩擦材製の滑りシート７とを具備する滑り支承具１において、支承板５の下面部に下拡がり状の凹部５１を形成すると共に支持具４の上端部の頂面４１ａを当該凹部５１の開口径より小径の半球状に形成して、支持具４の上端部にこれを支承板５の凹部５１に係合させることにより支承板５を上下揺動自在に支持させ、支持具４の貫通孔８ｃを設けたゴム製の弾性蓋８を支承板５にその下面部及び周面部に嵌合密着させてある。【選択図】図１
2015132300.tif 000002
【特許請求の範囲】
【請求項１】
基盤に下端部を固着され且つ基盤上に打設されるコンクリート層に埋没される支持具と、支持具の上端部に取り付けられて当該コンクリート層の上面に固定される支承板と、支承板の上面に固着されて被支承物と接触する低摩擦材製の滑りシートとを具備する滑り支承具において、上記の目的を達成すべく、特に、支承板の下面部に下拡がり状の凹部を形成すると共に支持具の上端部の頂面を当該凹部の開口径より小径の半球状に形成して、支持具の上端部にこれを支承板の凹部に係合させることにより支承板を上下揺動自在に支持させ、支持具の貫通孔を設けたゴム製の弾性蓋を支承板にその下面部及び周面部に嵌合密着させてあることを特徴とする滑り支承具。
【請求項２】
支承板が円板、方形板又は多角形板であり、その下面部の中心に前記凹部が形成されていることを特徴とする、請求項１に記載する滑り支承具。
【請求項３】
支持具が、基盤上の立直長さを調整可能に構成されたものであることを特徴とする、請求項１又は２に記載する滑り支承具。
【請求項４】
滑りシートがポリテトラフルオロエチレンを主成分とするものであることを特徴とする、請求項１〜３の何れかに記載する滑り支承具。
【発明の詳細な説明】
【技術分野】
【０００１】
本発明は、コンクリート製階段等の被支承物を滑り支承するための滑り支承具に関するものである。
【背景技術】
【０００２】
例えば、コンクリート製階段の免震構造にあっては、階段の下端部を下階スラブ上に滑り支承させておくことが行われるが、このような階段等の被支承物を下階スラブ等のコンクリート層上に滑り支承させておくための滑り支承具として、特許文献１に開示されたもの（以下「従来滑り支承具」という）が周知である。
【０００３】
而して、かかる従来滑り支承具は、特許文献１の図１に開示される如く、上面に低摩擦材製の滑りシート（ベアリングシート）を貼着した支承板に支持具を溶着してなり、支持具の下端部を釘又はビス等によりコンクリート型枠等の基盤に固着し、基盤と支承板との間に打設したコンクリート層に支持具を埋設することにより、支承板をコンクリート層の上面に固定して、被支承物を支承板で滑り支承するように構成されている。
【先行技術文献】
【特許文献】
【０００４】
【特許文献１】特開２００１−００３４５８号公報
【発明の概要】
【発明が解決しようとする課題】
【０００５】
しかし、従来滑り支承具にあっては、支承板がコンクリート層に埋設される支持具に固着（溶着）されていてコンクリート層上に固定されているため、被支承物が撓む等により上構造物（被支承物）又はこれを支承する下構造物（滑り支承具を固定するコンクリート層等）が水平に対して傾いた場合には、支承板が被支承物に全面的に接触しない片当たり状態となり、適正な滑り支承を行い得ない。
【０００６】
また、支持具をこれが鉛直となるように基盤に固着させる作業は極めて困難であるため、作業者が熟練者でないときには支持具が鉛直方向に対して傾斜した姿勢で基盤に固着されてしまうことがあるが、かかる場合にも片当たり状態が生じる。
【０００７】
さらに、従来滑り支承具にあっては、上記したように被支承物との接触が片当たり状態となる虞れが強いことから、片当たりとなることを考慮して支承板による被支承物の支承強度（支承面圧）を設計しておく必要があるが、取合（設置スペース）が制限されている場合には、このように設計することができず、支承強度が不足して、適正な滑り支承を行い得ない場合がある。
【課題を解決するための手段】
【０００８】
本発明は、このような問題を生じることなく、被支承物を適正に滑り支承することができる滑り支承具を提供することを目的とするものである。
【０００９】
本発明は、基盤に下端部を固着され且つ基盤上に打設されるコンクリート層に埋没される支持具と、支持具の上端部に取り付けられて当該コンクリート層の上面に固定される支承板と、支承板の上面に固着されて被支承物と接触する低摩擦材製の滑りシートとを具備する滑り支承具において、上記の目的を達成すべく、特に、支承板の下面部に下拡がり状の凹部を形成すると共に支持具の上端部の頂面を当該凹部の開口径より小径の半球状に形成して、支持具の上端部にこれを支承板の凹部に係合させることにより支承板を上下揺動自在に支持させ、支持具の貫通孔を設けたゴム製の弾性蓋を支承板にその下面部及び周面部に嵌合密着させておくことを提案するものである。
【００１０】
かかる滑り支承具の好ましい実施の形態にあっては、支承板が円板、方形板又は多角形板であり、その下面部の中心に前記凹部が形成されている。また、支持具は、基盤上の立直長さを調整可能に構成されたものであることが好ましい。また、滑りシートはポリテトラフルオロエチレンを主成分とするものであることが好ましい。
【発明の効果】
【００１１】
本発明の滑り支承具によれば、支承板が支持具に上下揺動自在に支持されているから、支持具の基盤への固着姿勢が鉛直でない場合にも、コンクリート層上に支承板を水平に固定させておくことができ、従来滑り支承具のように被支承物の接触が片当たり状態とならず、支承板（滑りシート）の全面で被支承物を支承することになり、支承物を適正に滑り支承させておくことができる。また、被支承物に撓み等の変形が生じて被支承面が水平に対して傾斜した場合にも、支承板の下面部及び周面部に密着嵌合させた弾性蓋の弾性変形により、被支承面の傾斜に応じて支承板が上下揺動して、被支承物との片当たりを防止し、被支承物を適正に滑り支承することができる。さらに、このように被支承物との片当たりが確実に防止されることから、取合（設置スペース）が制限されている場合にも支承強度が不足するようなことがない。
【図面の簡単な説明】
【００１２】
【図１】図１は本発明に係る滑り支承具の一例を示すものであって、被支承物の支承状態を示す断面図である。
【図２】図２は図１のII−II線に沿う断面図である。
【図３】図３は図１と異なる被支承物の支承状態を示す要部の図１相当の断面図である。
【図４】図４は図１及び図３と異なる被支承物の支承状態を示す図３相当の断面図である。
【図５】図５は本発明に係る滑り支承具の変形例を示す図１相当の断面図である。
【図６】図６は本発明に係る滑り支承具の他の変形例を示す図１相当の断面図である。
【図７】図７は図６のVII − VII線に沿う断面図である。
【図８】図８は本発明に係る滑り支承具の更に他の変形例を示す要部の図１相当の断面図である。
【発明を実施するための形態】
【００１３】
以下、本発明の滑り支承具を図面に基づいて具体的に説明する。図１は本発明に係る滑り支承具の一例を示すものであって、被支承物の支承状態を示す断面図であり、図２は図１のII−II線に沿う断面図であり、図３は図１と異なる被支承物の支承状態を示す要部の図１相当の断面図であり、図４は図１及び図３と異なる被支承物の支承状態を示す図３相当の断面図である。
【００１４】
図１に示す滑り支承具１は、基盤２に下端部を固着され且つ基盤２上に打設されるコンクリート層３に埋没される支持具４と、支持具４の上端部に取り付けられてコンクリート層３の上面に固定される支承板５と、支承板５の上面に固着されて被支承物６と接触する低摩擦材製の滑りシート７と、支承板５の下面部及び周面部に嵌合密着する弾性蓋８とからなる。
【００１５】
支持具４は、図１に示す如く、周面にネジを形成したネジ軸である金属製の支柱４１と、これに螺合された金属製の上下ナット部材４２ａ，４２ｂと、下ナット部材４２ｂを上端部に溶着等により固着すると共に下端部に環状鍔部４３ａを形成した筒状の金属製の支持体４３とからなり、支柱４１の下ナット部材４２ｂへの螺合位置を変更すると共にその変更位置を上ナット部材４２ａで固定することにより基盤２上の立直長さ（この例では支持具４の全長）を調整できるように構成されている。
【００１６】
この例では、基盤２がコンクリート層３の打設用の木製型枠であり、支持体４３の環状鍔部４３ａを釘（又はビス等）４４により基盤２に固着することにより、支持具４が基盤２に立直姿勢で固着される。
【００１７】
支承板５は、図２に示す如く、金属円板であり、支持具４の上端部つまり支柱４１の上端部に上下揺動自在に支持されている。すなわち、支承板５の下面部中心には下拡がりの円錐状をなし且つその底面５１ａが半球状をなす凹部５１が形成されている。また、支柱４１の外径は凹部５１の下端開口径より小径とされており、その上端部の頂面４１ａは凹部５１の底面５１ａに合致又は略合致する半球状に形成されている。而して、支柱４１の上端部を、図１に示す如く、その頂面４１ａが支承板５の凹部５１の底面５１ａに衝合する状態で、当該凹部５１に係合させることにより、支承板５を支持具４の上端部（支柱４１の上端部）に上下揺動自在に支持させてある。
【００１８】
なお、支承板５の径Ｄ０とこれを支持する支柱４１の径Ｄ１とは被支承物６の支承条件等に応じて適宜に設定されるが、一般には、１／１０≦Ｄ１／Ｄ０≦１／５となるように設定される。また、支承板５と支柱４１（及びナット部材４２ａ，４２ｂ）とは同一種の金属で構成され、一般に、ステンレス鋼，一般構造用圧延鋼材、建築用鋼材等の鋼材で構成される。
【００１９】
滑りシート７は、図１に示す如く、支承板５の上面に全面的に貼着されており、一般にポリテトラフルオロエチレン（ＰＴＦＥ）を主成分とする低摩擦材で構成されている。ＰＴＦＥを主成分とする低摩擦材としては、例えば、ＰＴＦＥにグラスファイバーを添加したもの、ＰＴＦＥに芳香族ポリエステルを添加したもの又はＰＴＦＥにカーボンブラックを添加したものを使用することができる。
【００２０】
弾性蓋８は、図１及び図２に示す如く、円形の底壁部８ａとその外周部から立ち上がる円筒状の周壁部８ｂとからなるゴム製のもので、底周壁部８ａの中心に形成した貫通孔８ｃに支柱４１を挿通させた状態で、支承板５の下面部及び周面部に嵌合密着されている。周壁部８ｂの内径は支承板５の外径より若干小さく、また貫通孔８ｃは支柱４１の外径より若干小径とされていて、弾性蓋８は支承板５及び支柱４１に弾性的に密着されている。このように弾性蓋８が支承板５及び支柱４１に弾性的に密着されていることにより、支承板５と支柱４１とが図１に示す如く直交する係合状態で連結され且つ両者５，４１の係合が容易に解消されないように工夫されている。弾性蓋８を構成するゴム材としては、耐候性等に優れたクロロプレンゴム等が使用される。
【００２１】
なお、被支承物６の下面における支承板５が接触する部分には、一般に、ステンレス鋼製の研摩板又は滑り板（例えば、滑りシート７を貼着した支承板５に相当するもの）を固着して、これを支承板５で支承する被支承面としてある。
【００２２】
以上のように構成された滑り支承具１によれば、被支承物６を次のようにして適正に滑り支承することができる。
【００２３】
すなわち、支持体４３を釘（又はビス等）４４により基盤（コンクリート打設用の木製型枠）２に固着すると共に、支柱４１と下ナット部材４２ｂとの螺合位置を変更すると共にその螺合位置を上ナット部材４２ａで固定して支持具４の全長を調整し、支承板５の鉛直方向位置を被支承物６を適正に支承しうる位置に調整する。そして、基盤２上にコンクリート層（例えば、被支承物６がコンクリート製階段である場合における下階スラブ）３を打設して、支持具４をコンクリート層３に埋設させると共に、コンクリート層３の上面に支承板５を固定し、図１に示す如く、支承板５の上面つまり滑りシート７上に被支承物６の下面を支承（滑り支承）させる。なお、弾性蓋８の少なくとも底壁部８ａはコンクリート層３に埋設されており、支承板５は弾性蓋８を介在した状態でコンクリート層３の上面に固定される。
【００２４】
このとき、支承板５が弾性蓋８を介在した状態でコンクリート層３上に固定されることから、上構造物（被支承物６）又はこれを支承する下構造物（滑り支承具１を固定するコンクリート層３等）が水平に対して傾いた場合にも、例えば被支承物６が撓み等により変形してその下面である被支承面が水平でなくなった場合にも、図３に示す如く、弾性蓋８が弾性変形して支承板５が被支承面姿勢に応じた姿勢に上下揺動し、支承板５の上面（滑りシート７）が片当たりせず全面的に被支承面に接触して、被支承物６を適正に滑り支承することができる。なお、支承板５と支柱４１との係合部分（凹部５１）が弾性蓋８で閉塞されていることから、当該係合部分にコンクリートが侵入して支柱４１に対する支承板５の上下変位が妨げられることはない。
【００２５】
また、支持体４３の基盤２への固着が、支柱４１が鉛直にならない状態で、行われたとしても、支承板５がその凹部５１に係合された支柱４１に対して上下揺動可能に支持されていることから、図４に示す如く、支持具４の基盤２への固着姿勢に拘らず支承板５を水平に固定することができ、支承板５の上面（滑りシート７）が片当たりせず全面的に被支承物６に接触して、被支承物６を適正に滑り支承することができる。
【００２６】
また、支承板５は円板であり、その中心が支柱４１で支持されたものであるから、支承板５の姿勢（回転姿勢）に拘らず、常に被支承物６の支承形態を一定にすることができる。
【００２７】
このように上記した構成の滑り支承具１によれば、支持具４の基盤２への固着姿勢が鉛直でない場合や被支承物２が撓み等により変形してその下面である被支承面が水平でない場合にも、支承板５（滑りシート７）が全面的に被支承物６と接触して片当たりとならないから、被支承物６を適正に滑り支承することができ、取合（設置スペース）の制限を受ける場合にも支承強度が不足するようなこともない。
【００２８】
なお、本発明は上記した実施の形態に限定されず、本発明の基本原理を逸脱しない範囲で適宜変更、改良することができる。
【００２９】
支持具４の基盤２への固定は、基盤２がコンクリート層である場合には、支持具４の下端部を基盤２に埋設することによって行うことができる。例えば、図５に示す如く、支持具４を前記したネジ軸である金属製の支柱４１とこれに螺合する金属製のナット部材４５と筒状の空間形成体４６とで構成し、ナット部材４５及び空間形成体４６を基盤２に埋設して、支柱４１をナット部材４５に螺合させると共にナット部材４５から下方に突出する支柱部分を空間形成体４６内の空間に挿入させることにより、支持具４を基盤２上の立直長さを調整可能に基盤２に固定する。なお、空間形成体４６は、ナット部材４５下に突出する支柱部分が挿入される空間を基盤２内に形成するためのものであるから、その構成材料は金属に限定されない。
【００３０】
また、支持具４の基盤２上の立直長さ（ないし全長）を調整するための手段は、上記した如く、ネジ軸（支柱）４１とこれに螺合するナット部材４２ａ，４２ｂ，４５との組み合わせによるものに限定されず任意であり、例えば、図６及び図７に示す如く、支持具４を周面にネジを形成しない点を除いて前記支柱４１と同一形状の金属製の支柱４７と前記した支持体４３と支柱４７の任意位置に締結ボルト４９，４９により締結固定される一対の金属製ストッパ体４８，４８とで構成して、基盤２に釘（又はビス等）で固着された支持体４３の上端部に金属製ストッパ４８，４８を係止させることにより支柱４７の上下方向位置を固定させるようにする。なお、この場合、基盤２がコンクリート製のものである場合、支持体４３を基盤２に埋設しておくことも可能である。
【００３１】
また、支承板５は上記した金属円板とする他、金属製の方形板（正方形板、長方形板）や多角形板（六角形板、八角形板等）とすることができ、弾性蓋８の形状も支承板５の形状に応じたものとできる。
【００３２】
また、支承板５の下面部中心に形成する凹部５１は、図８に示す如く、半球状をなすものでもよい。
【符号の説明】
【００３３】
１      滑り支承具
２      基盤
３      コンクリート層
４      支持具
５      支承板
６      被支承物
７      滑りシート
８      弾性蓋
４１    支柱
４１ａ  頂面
４２ａ  上ナット部材
４２ｂ  下ナット部材
４３    支持体
４３ａ  環状鍔部
４４    釘
４５    ナット部材
４６    空間形成体
４７    支柱
４８    ストッパ体
４９    締結ボルト
５１    凹部
５１ａ  底面
【図１】
2015132300.tif 000003
【図２】
2015132300.tif 000004
【図３】
2015132300.tif 000005
【図４】
2015132300.tif 000006
【図５】
2015132300.tif 000007
【図６】
2015132300.tif 000008
【図７】
2015132300.tif 000009
【図８】
2015132300.tif 000010